(57)【特許請求の範囲】
【請求項１】
放射線検出器のサイズごとに予め複数の設置位置が決られている撮影台と、
前記撮影台に設置される前記放射線検出器の前記サイズ及び前記撮影台における前記放射線検出器の設置範囲を示す前記設置位置を入力する操作入力部と、
入力された前記放射線検出器の前記設置位置に対応する前記設置範囲に基づいて、第１の照明光によって前記撮影台上に前記放射線検出器の前記設置範囲を照射可能な第１の光源部と、
第２の照明光によって前記撮影台上に放射線の曝射範囲を照射可能な第２の光源部と、
放射線を曝射する放射線源と、
前記第１の光源部、前記第２の光源部、及び放射線源からの照射及び曝射をそれぞれ制御する撮影制御部と、を備え、
前記第１の光源部は、前記第１の照明光を照射する第１の光源とその照射野を調整する第１の光源絞りとを有し、
また、前記第２の光源部は、前記第２の照明光を照射する第２の光源とその照射野を調整する第２の光源絞りとを有し、
前記第２の光源絞りは、前記放射線源の光源絞りとしても機能し、
前記第１の光源絞り及び前記第２の照射絞りの開口部の調整、前記第１の光源及び前記第２の光源からの照射、並びに前記放射線源からの曝射は、前記操作入力部からの指示により、前記撮影制御部によってそれぞれ制御されることを特徴とする放射線撮影装置。
【請求項２】
前記第２の光源絞りは、鉛成分を含み、放射線を遮断することを特徴とする請求項１に記載の放射線撮影装置。
【請求項３】
前記第１の光源からの前記第１の照明光と前記第２の光源からの前記第２の照明光とは、その色が異なり、前記撮影台上に同時に照射することで、その色差に基づいて前記放射線検出器の前記設置位置に対応する前記設置範囲と前記放射線の曝射範囲とを同時に表示可能であることを特徴とする請求項１又は２に記載の放射線撮影装置。
【請求項４】
前記第１の光源からの前記第１の照明光と前記第２の光源からの前記第２の照明光とは、その照射強度が異なり、前記撮影台上に同時に照射することで、その照射強度差に基づいて前記放射線検出器の前記設置位置に対応する前記設置範囲と前記放射線の曝射範囲とを同時に表示可能であることを特徴とする請求項１又は２に記載の放射線撮影装置。
【請求項５】
前記撮影台における前記放射線検出器の前記サイズごとに予め決められた複数の設置位置は、前記放射線検出器の１つのサイズに対して、鉛直方向（検出器上端、検出器中央、検出器下端）３通り、水平方向（検出器左端、検出器中央、検出器右端）３通りの合計９箇所であることを特徴とする請求項１〜４のいずれかに記載の放射線撮影装置。
【請求項６】
さらに、前記操作入力部は、前記撮影台上に前記放射線検出器の前記設置位置に対応する前記設置範囲を照射する第１のスイッチと、前記撮影台上に前記放射線の前記曝射範囲を照射する第２のスイッチと、前記放射線を曝射する第３のスイッチとを有することを特徴とする請求項１〜５のいずれかに記載の放射線撮影装置。
【請求項７】
さらに、前記操作入力部は、前記撮影台上に、前記放射線検出器の前記設置位置に対応する前記設置範囲と前記前記放射線の前記曝射範囲とを交互に照射する第４のスイッチを備えることを特徴とする請求項１〜６のいずれかに記載の放射線撮影装置。
【請求項８】
さらに、前記操作入力部は、３段式スイッチを有し、
前記３段式スイッチは、第１段目において、前記撮影台上に前記放射線検出器の前記設置位置に対応する前記設置範囲を照射し、第２段目において、前記撮影台上に、前記放射線検出器の前記設置範囲に重ねて、前記放射線の前記曝射範囲を照射し、第３段目において、前記放射線を曝射することを特徴とする請求項１〜５のいずれかに記載の放射線撮影装置。
【請求項９】
さらに、前記操作入力部は、３段式スイッチを有し、
前記３段式スイッチは、第１段目において、前記撮影台上に、前記放射線の前記曝射範囲を照射し、第２段目において、前記撮影台上に、前記放射線の前記曝射範囲に重ねて、前記放射線検出器の前記設置位置に対応する前記設置範囲を照射し、第３段目において、前記放射線を曝射することを特徴とする請求項１〜５のいずれかに記載の放射線撮影装置。
【請求項１０】
前記３段式スイッチは、第１段目若しくは第２段目において所定時間停止した場合に、又は、第１段目、第２段目、及び第３段目のいずれにも該当しない箇所で所定時間停止した場合に、前記撮影台上に、前記放射線検出器の前記設置位置に対応する前記設置範囲と前記前記放射線の前記曝射範囲とを交互に繰り返し照射することを特徴とする請求項８又は９に記載の放射線撮影装置。
【請求項１１】
前記放射線源から曝射され、前記第２の光源絞りを通過した放射線の光束は、前記第１の光源絞りの開口部内に含まれることを特徴とする請求項１〜１０のいずれかに記載の放射線撮影装置。
【請求項１２】
さらに、前記撮影台上において、前記第２の光源部からの前記第２の照明光の前記照射範囲が、前記第１の光源部からの前記第１の照明光の前記照射範囲から外れる場合には、警告を行う警告手段を備えることを特徴とする請求項１〜１１のいずれかに記載の放射線撮影装置。
【請求項１３】
前記警告がなされた場合に、
前記警告手段は、前記撮影制御部を通じて前記放射線源からの前記放射線の曝射を停止することを特徴とする請求項１２に記載の放射線撮影装置。
【発明の詳細な説明】
【技術分野】
【０００１】
本発明は、放射線検出器のサイズ、放射線検出器の設置位置、及び放射線の曝射範囲が確認可能な放射線撮影装置に関するものである。
【背景技術】
【０００２】
従来、サイズのそれぞれ異なる放射線検出器を設置可能な撮影台を備える放射線撮影装置において、一旦撮影台に放射線検出器を設置してしまうと、また、被写体が放射線検出器の前に立ってしまうと、放射線検出器のサイズ及び設置位置（設置範囲）を簡単に目視で確認することができず、技師が撮影台まで移動して、撮影台を横から覗き込んで、放射線検出器のサイズ及び設置位置を確認するなど、放射線検出器のサイズ及び設置位置の確認に非常に手間が掛かっていた。
【０００３】
以下の特許文献１には、放射線変換パネル（放射線検出器）を設置するカセッテのケーシングであって、その側面に放射線変換パネルの設置位置を示す指標が表示されているケーシングを備える放射線撮影装置が記載されている。
【０００４】
また、以下の特許文献２には、固体平面検出器（放射線検出器）のサイズを検出可能なＸ線診断装置であって、検出された検出器のサイズに応じてＸ線（放射線）の光源絞りを調整するＸ線診断装置が記載されている。
【０００５】
また、以下の特許文献３には、Ｘ線（放射線）照射野と同じ範囲を可視光によって照射することができる投光照準機構を備えたＸ線稼働絞り装置について記載されている。
【先行技術文献】
【特許文献】
【０００６】
【特許文献１】特開２００９−８２３７２号公報
【特許文献２】特許第３３８８１３９号公報
【特許文献３】特開平７−１４８１５９号公報
【発明の概要】
【発明が解決しようとする課題】
【０００７】
特許文献１に記載の発明では、カセッテのケーシング内におけるパネル設置位置は確認可能なものの、カセッテ前に被写体が立った場合に、被写体とパネル設置位置の関係、放射線の照射野とパネル設置位置の関係を目視で確認することが困難である。
また、特許文献２に記載の発明は、放射線検出器のサイズの検出装置や、検出された放射線検出器のサイズをＸ線源（放射線源）に伝える機構が必要となる分、装置が大掛かりとなり、また、被写体と放射線検出器との関係を目視で確認することができない。
また、特許文献３に記載の発明は、Ｘ線（放射線）の照射野については目視で確認可能だが、放射線検出器のサイズ及び設置位置については、何ら考慮されておらず、記載も示唆もされていない。
【０００８】
本発明の目的は、放射線撮影の際に、被写体が撮影台と重なった状態であっても、操作者（技師）が、放射線検出器のサイズ、放射線検出器の設置位置、及び放射線の曝射範囲を目視で簡単に確認することのできる放射線撮影装置を提供することにある。
【課題を解決するための手段】
【０００９】
上記課題を解決するために、本発明は、放射線検出器のサイズごとに予め複数の設置位置が予め決られている撮影台と、前記撮影台に設置される前記放射線検出器の前記サイズ及び前記撮影台における前記放射線検出器の設置範囲を示す前記設置位置を入力する操作入力部と、入力された前記放射線検出器の前記設置位置に対応する前記設置範囲に基づいて、第１の照明光によって前記撮影台上に前記放射線検出器の前記設置範囲を照射可能な第１の光源部と、第２の照明光によって前記撮影台上に放射線の曝射範囲を照射可能な第２の光源部と、放射線を曝射する放射線源と、前記第１の光源部、前記第２の光源部、及び放射線源からの照射及び曝射をそれぞれ制御する撮影制御部と、を備え、前記第１の光源部は、前記第１の照明光を照射する第１の光源とその照射野を調整する第１の光源絞りとを有し、また、前記第２の光源部は、前記第２の照明光を照射する第２の光源とその照射野を調整する第２の光源絞りとを有し、前記第２の光源絞りは、前記放射線源の光源絞りとしても機能し、前記第１の光源絞り及び前記第２の照射絞りの開口部の調整、前記第１の光源及び前記第２の光源からの照射、並びに前記放射線源からの曝射は、前記操作入力部からの指示により、前記撮影制御部によってそれぞれ制御されることを特徴とする放射線撮影装置を提供する。
【００１０】
また、前記第２の光源絞りは、鉛成分を含み、放射線を遮断することが好ましい。
【００１１】
また、前記第１の光源からの前記第１の照明光と前記第２の光源からの前記第２の照明光とは、その色が異なり、前記撮影台上に同時に照射することで、その色差に基づいて前記放射線検出器の前記設置位置に対応する前記設置範囲と前記放射線の曝射範囲とを同時に表示可能であることが好ましい。
【００１２】
また、前記第１の光源からの前記第１の照明光と前記第２の光源からの前記第２の照明光とは、その照射強度が異なり、前記撮影台上に同時に照射することで、その照射強度差に基づいて前記放射線検出器の前記設置位置に対応する前記設置範囲と前記放射線の曝射範囲とを同時に表示可能であることが好ましい。
【００１３】
また、前記撮影台における前記放射線検出器の前記サイズごとに予め決められた複数の設置位置は、前記放射線検出器の１つのサイズに対して、鉛直方向（検出器上端、検出器中央、検出器下端）３通り、水平方向（検出器左端、検出器中央、検出器右端）３通りの合計９箇所であることが好ましい。
【００１４】
さらに、前記操作入力部は、前記撮影台上に前記放射線検出器の前記設置位置に対応する前記設置範囲を照射する第１のスイッチと、前記撮影台上に前記放射線の前記曝射範囲を照射する第２のスイッチと、前記放射線を曝射する第３のスイッチとを有することが好ましい。
【００１５】
また、さらに、前記操作入力部は、前記撮影台上に、前記放射線検出器の前記設置位置に対応する前記設置範囲と前記前記放射線の前記曝射範囲とを交互に照射する第４のスイッチを備えることが好ましい。
【００１６】
また、さらに、前記操作入力部は、３段式スイッチを有し、前記３段式スイッチは、第１段目において、前記撮影台上に前記放射線検出器の前記設置位置に対応する前記設置範囲を照射し、第２段目において、前記撮影台上に、前記放射線検出器の前記設置範囲に重ねて、前記放射線の前記曝射範囲を照射し、第３段目において、前記放射線を曝射することが好ましい。
【００１７】
また、さらに、前記操作入力部は、３段式スイッチを有し、前記３段式スイッチは、第１段目において、前記撮影台上に、前記放射線の前記曝射範囲を照射し、第２段目において、前記撮影台上に、前記放射線の前記曝射範囲に重ねて、前記放射線検出器の前記設置位置に対応する前記設置範囲を照射し、第３段目において、前記放射線を曝射することが好ましい。
【００１８】
また、前記３段式スイッチは、第１段目若しくは第２段目において所定時間停止した場合に、又は、第１段目、第２段目、及び第３段目のいずれにも該当しない箇所で所定時間停止した場合に、前記撮影台上に、前記放射線検出器の前記設置位置に対応する前記設置範囲と前記前記放射線の前記曝射範囲とを交互に繰り返し照射することが好ましい。
【００１９】
また、前記放射線源から曝射され、前記第２の光源絞りを通過した放射線の光束は、前記第１の光源絞りの開口部内に含まれることが好ましい。
【００２０】
さらに、前記撮影台上において、前記第２の光源部からの前記第２の照明光の前記照射範囲が、前記第１の光源部からの前記第１の照明光の前記照射範囲から外れる場合には、警告を行う警告手段を備えることが好ましい。
【００２１】
また、前記警告がなされた場合に、前記警告手段は、前記撮影制御部を通じて前記放射線源からの前記放射線の曝射を停止することが好ましい。
【発明の効果】
【００２２】
本発明によれば、撮影台上に可視光によって放射線検出器のサイズ及び設置位置を表示するため、操作者（技師）が目視で放射線検出器のサイズ及び設置位置を確認することができ、また、被写体が撮影台と重なった状態であっても放射線検出器のサイズ及び設置位置を確認することができる。
また、放射線検出器のサイズ及び設置位置を示す可視光に重ねて放射線の曝射範囲を示す可視光を照射することで、放射線検出器のサイズ及び設置位置と同時に放射線の曝射範囲を目視で確認することができる。
【図面の簡単な説明】
【００２３】
【図１】本発明に係る放射線撮影装置の一実施形態を示す模式図である。
【図２】本発明に係る放射線撮影装置の撮影台上における、放射線検出器のサイズ及び設置位置、並びに放射線の曝射範囲を示す説明図である。
【図３】本発明に係る放射線撮影装置において、撮影台の前に被写体が立った場合の放射線検出器のサイズ及び設置位置、並びに放射線の曝射範囲を示す説明図である。
【図４】本発明に係る放射線撮影装置の可動式の光源絞りと照射野との関係を説明する説明図である。
【図５】本発明に係る放射線撮影装置の第２の光源部及び放射線源の概略構成を示す説明図である。
【図６】本発明に係る放射線撮影装置の操作入力部に設置された３段式スイッチの概略構成を示す説明図である。
【発明を実施するための形態】
【００２４】
本発明に係る放射線撮影装置を、添付の図面に示す好適実施形態に基づいて以下に詳細に説明する。
【００２５】
＜放射線撮影装置の構成＞
図１は、本発明の放射線撮影装置の構成を表す一実施形態の模式図である。
図１に示すとおり、本発明の放射線撮影装置１０は、放射線を曝射する放射線源１２と、放射線源１２を高さ方向に移動させる線源移動機構１３と、サイズのそれぞれ異なる放射線検出器を、複数の異なる設置位置に設置可能な撮影台１４と、撮影台に設置され、曝射された放射線を検出する放射線検出器１６と、撮影台に対して放射線検出器１６の設置範囲に第１の照明光（可視光）を照射する第１の光源部１８と、撮影台に対して放射線源１２の放射線の曝射範囲（照射野）に第２の照明光（可視光）を照射する第２の光源部２０と、放射線源１２からの放射線の曝射と、第１の光源部１８からの第１の照明光及び第２の光源部２０からの第２の照明光の照射とをそれぞれ制御する撮影制御部２２と、放射線検出器１６のサイズ及び設置位置（設置範囲）と、放射線源１２、第１の光源部１８、及び第２の光源部２０の操作指示を入力する操作入力部２４とを備える。
【００２６】
放射線源１２は、撮影台１４に向けて所定の位置に固定されており、その曝射範囲は、後述する第２の光源部２０の光源絞り２０ａによって調整される。操作者（技師）は、操作入力部２４を指示することにより、放射線源１２から放射線を曝射し、放射線撮影を行う。
なお、放射線源１２は、高さ調整手段１３を備え、放射線源１２の高さ（ｚ方向位置）は、撮影台１４の高さ（ｚ方向位置）に連動して移動される。
【００２７】
撮影台１４は、サイズの異なる放射線検出器（パネル）１６を複数の異なる設置位置に設置可能である。図２に示すように、撮影台１４には、所定のパネルサイズとそのパネルサイズに応じた複数の設置位置が予め点線で記入されている。
パネル１６の設置位置は、１つのサイズに対して、例えば、撮影台１４の縦方向（鉛直方向）に３種類（上端、中央、下端）、撮影台１４の横方向（水平方向）に３種類（左端、中央、右端）、合計９種類の設置位置が設けられていてもよい。よって、撮影台に記入された設置位置は、この場合、（パネルサイズの種類数）×９種類あることになる。なお、図２では、パネル１６を中央・右端に設置している。
操作者は、パネル１６のパネルサイズを確認し、パネル１６を撮影台１４に設けられた点線に従って設置することで、所望の位置にパネル１６を簡易に設置することができる。
なお、撮影台１４におけるパネル１６の設置は、例えば、撮影台１４の裏に、パネル１６を支えることのできる稼働式のレールが付いており、そのレールを固定することで、パネル１６を設置してもよい。パネル１６の設置方法については、種々の公知の手法を用いることができる。
また、撮影台１４は、被写体Ｐの体格や撮影部位に応じて高さ方向（ｚ方向）に移動可能である。例えば、撮影台１４を支える支持柱にレールが設置されており、また、撮影台１４には支持柱との間に車輪が付いており、これらレールと車輪によって、撮影台１４を手動で上下に移動できてもよい。
【００２８】
パネル１６は、撮影台１４の背後に設置され、放射線源１２より曝射され、被写体を透過した放射線を検出する。パネル１６は、例えば、放射線フィルムとそれを内部に設置した可搬型フィルムカセッテでも良く、また、可搬型のＩＰ（Imaging Plate）カセッテでも良い。公知の種々の放射線検出器を用いることができる。
また、パネル１６のパネルサイズは、六切、四切、大角、半切等、一般的に用いられる様々なサイズのパネルを利用することができ、また、上述の撮影台１４にも、上述のとおり、これらのサイズごとに予め複数の設置位置が設けられており、その設置位置が撮影台１４上に点線で示されている。
【００２９】
なお、本実施例においては、放射線源１２及び撮影台１４の移動は高さ方向の移動のみを考慮し、ＳＩＤ（放射線源１２と放射線検出器１６との間の距離）は原則固定されているが、もちろん、これに限定されず、ＳＩＤが変化してもよい。ＳＩＤが変化する場合、後述する操作入力部より、パネル１６のサイズ及び設置位置を入力するだけでなく、ＳＩＤの変化量も入力する必要がある。第１の照明光がパネル１６の設置範囲に照射されるように、後述する光源制御部２２により、変化したＳＩＤに基づいて、後述する第１の光源絞り１８ａの開口部１８ｄの大きさを変化させる必要があるためである。なお、ＳＩＤが大きくなればなるほど、開口部１８ｄの大きさは小さくなり、ＳＩＤが小さくなればなるほど、開口部１８ｄの大きさは大きくなる。
【００３０】
第１の照明光を照射する第１の光源部１８は、照射光の照射野を絞る第１の光源絞り１８ａと、可視光である照明光を照射する第１の光源１８ｂと、第１の光源１８ｂからの照明光を撮影台方向に反射するハーフミラー１８ｃとを備える。
後述する操作入力部２４へ、パネル１６のパネルサイズ及び撮影台１４における設置位置（パネル１６の設置範囲）の情報が操作者により入力されると、後述する撮影制御部２２は、これらの情報に基づいて第１の光源絞り１８ａを制御して、図２に示すように、撮影台１４上にパネル１６の設置位置であって、パネル１６と同じ大きさの照明光を照射する。
また、図３に示すように、被写体Ｐが撮影台１４の前に立ったとしても、第１の照明光によりパネル１６の設置位置を示すことができる。
【００３１】
なお、第１の光源絞り１８ａは、図４に示すように、１組の光源絞りリーフ１８ａＡ（１８ａＡ１、１８ａＡ２）、及び１組の光源絞りリーフ１８ａＢ（１８ａＢ１、１８ａＢ２）のそれぞれの間隔を変えることで、所望の大きさの開口部１８ｄを作り、第１の光源１８ｂに撮影台１４上の所望の範囲を照射させる。なお、図４において、Ｓは線源（ここでは、第１の光源１８ｂ）の位置を示す。
第１の光源絞り１８ａを構成する１組の光源絞りリーフ１８ａＡ及び１８ａＢは、第１の光源１８ｂが可視光を遮断する部材であればよく、種々の公知の部材が用いられる。
また、１組の光源絞りリーフ１８ａＡ及び１８ａＢは、片側の光源絞りリーフ（例えば、１８ａＡ１）が一方向に所定距離移動されると、それと同じくもう一方の光源絞りリーフ（例えば、１８ａＡ２）が反対方向に等距離移動される図示しないリーフ駆動機構を備える。
また、第１の光源絞り１８ａは、図４に示す構造に限らず、種々の公知の光源絞りを用いることができる。
【００３２】
第１の光源１８ｂは、第１の照明光として、可視光を照射する光源であればよく、通常の白色光源（白熱電球、白色ＬＥＤ等）はもちろん、例えば、所定波長の光を照射する色付きの光源であってもよく、また、白色光源に対して、途中に所定の波長帯域の光を通すフィルタ設けて、その照明光の色を変えても良い。第１の光源１８ｂの光は、ハーフミラー１８ｃによって反射され、第１の光源絞り１８ａの方向（つまり、撮影台１４の方向）へ向けられる。
なお、ハーフミラー１８ｃは、撮影台１４方向の面を表面と、また、放射線源１２方向の面を裏面とし、表面からの光を反射し、裏面からの光を透過するハーフミラーである。
【００３３】
第２の照明光を照射する第２の光源部２０は、第１の光源部１８と同様、照射光の照射野を絞る第２の光源絞り２０ａと、可視光である照明光を照射する第２の光源２０ｂと、第２の光源２０ｂからの照明光を撮影台方向に反射するハーフミラー２０ｃとを備える。
後述する操作入力部２４へ、放射線の曝射に関する情報が入力されると、後述する撮影制御部２２は、これらの情報に基づいて第２の光源絞り２０ａを制御して、図２に示すように、撮影台１４上に放射線の曝射範囲と同じ大きさの照明光を照射する。
また、同様に、図３に示すように、被写体Ｐが撮影台１４の前に立ったとしても、第２の照明光により放射線の曝射範囲を示すことができる。
【００３４】
なお、第２の光源絞り２０ａは、第１の光源絞り１８ａと異なり、上述のとおり放射線源１２の光源絞りとしても働くため、放射線を遮断する鉛等を含む材料で構成される必要がある。
【００３５】
図５は、本発明の放射線撮影装置１０において、第２の光源部２０及び放射線源１２部分の構成を示す抜粋図である。図５に示すように、放射線源１２からハーフミラー２０ｃまでの距離Ｌｘと、第２の光源２０ｂからハーフミラー２０ｃまでの距離Ｌｌとは、同じである必要がある。ハーフミラー２０ｃに対して、放射線源１２と第２の光源２０ｂとが光学的に等しい距離に無いと、第２の照射光及び放射線がハーフミラー２０ｃから離れるにつれて、それぞれの照射野の大きさ（光束の大きさ）がずれてしまうからである。
【００３６】
撮影制御部２２は、後述する操作入力部２４からの指示により、第１の光源部１８、第２の光源部２０、及び放射線源１２を制御する。操作入力部２４に入力されたパネル１６のサイズ及び設置位置に基づいて、上述のとおり第１の光源絞り１８ａを制御してその開口部１８ｄの形状を変え、また、操作入力部２４からの指示により、第１の光源１８ｂから第１の照明光を照射する。
また、撮影制御部２２は、操作入力部２４に入力された放射線の曝射条件に基づいて、上述のとおり第２の光源絞り２０ａを制御してその開口部２０ｄの形状を変え、また、操作入力部２４からの指示により、第２の光源部２０ｂから第２の照明光を照射し、必要に応じて、放射線源１２から放射線を曝射する。
ここで、曝射条件とは、操作入力部２４より入力される、撮影部位、被写体Ｐの体厚、ＳＩＤ（放射線源１２と放射線検出器１６との間の距離）、放射線強度、及び曝射時間等を含む放射線曝射の条件である。
【００３７】
なお、第１の光源絞り１８ａの開口部１８ｄと第２の光源絞り２０ａの開口部２０ｄとでは、当然第１の光源絞り１８ａの開口部１８ｄの方が大きく設定される。パネル１６より放射線の曝射範囲が大きい必要はないためである。
この場合、図２及び図３に示すように、放射線の曝射範囲はパネル設置範囲に含まれるため、放射線源１２から曝射される放射線は、第１の光源絞り１８ａの開口部１８ｄ内を通過し、被写体Ｐに照射される。
【００３８】
また、第１の光源１８ｂからの第１の照明光と、第２の光源２０ｂからの第２の照明光とは、その照明光の色が異なるようにフィルタ等を設置しても良い。第１の照明光と第２の照明光との色を変えることで、図２及び図３に示すように、第１の照明光と第２の照明光を同時に照射することで、パネル１６のサイズ及び設置位置と放射線の曝射範囲とを同時に確認することができる。
【００３９】
また、第１の光源１８ｂからの第１の照明光と第２の光源２０ｂからの第２の照明光とは、その照射強度が異なるように設定されていてもよい。例えば、第１の照明光の照射強度が低く、第２の照明光の照射強度が高ければ、同時に照射した場合に、第２の照明光の照射範囲が明るく照らされ、第１の照明光の照射範囲がそれよりも暗く照らされることで、パネル１６のサイズ及び設置位置と、放射線の曝射範囲とを同時に確認することができる。
【００４０】
また、撮影制御部２２は、放射線の曝射範囲がパネル１６の設置範囲から外れる場合には、その旨を警告する警告手段を備えても良い。警告手段による警告としては、例えば、撮影制御部２２の図示しない表示手段（例えば、モニタ等）にその旨を表示してもよいし、また、後述する操作入力部２４からの放射線の曝射指示にもかかわらず、放射線源１２からの放射線の曝射自体が停止されてもよい。
【００４１】
なお、撮影制御部２２は、具体的には、ＣＰＵ（中央処理装置）、ＲＡＭ（主記憶装置）、ハードディスク等で構成されるコンピュータによって構成され、実際には、操作入力部２４からの指示により、上述のＣＰＵ（中央処理装置）、ＲＡＭ（主記憶装置）、ハードディスク等が連動して、第１の光源部１８、第２の光源部２０、及び放射線源１２の制御を行っている。
【００４２】
操作入力部２４は、パネル１６のパネルサイズ（六切、四切、大角、半切など）及びパネル設置位置（（上端、中央、下端）×（左端、中央、右端）など）を入力し、また、第１の光源１８ｂからの第１の照明光の照射、第２の光源２０ｂからの第２の照明光の照射、及び放射線源１２からの放射線の曝射などの指示を入力する。
また、操作入力部２６は、具体的には、キーボード及びマウスなどの入力装置や、ＩＣカードリーダやバーコードリーダ等の読み取り装置を備えてもよい。
【００４３】
また、第１の光源１８ｂ及び第２の光源２０ｂからの照明光の照射、並びに放射線源１２からの放射線の曝射について、操作入力部２４には、それぞれ個別のスイッチ（第１の照明光を照射する第１のスイッチ、第２の照明光を照射する第２のスイッチ、及びＸ線を照射する第３のスイッチ）が設けられてもよく、また、第１の照明光と第２の照明光とを交互に照射するスイッチ（第４のスイッチ）が設けられてもよい。
なお、上述の例と逆で、第１の照明光を照射するのが、第２のスイッチであり、第２の照明光を照射するのが第１のスイッチでもよい。
【００４４】
また、図６に示すように、単一の３段式スイッチ２４ａを操作入力部２４に設置して、第１段目を第１の照明光（パネル１６の設置範囲）の照射、第２段目を第２の照明光（放射線の曝射範囲）の照射、第３段目を放射線の曝射として、照明光の照射及び放射線の曝射を段階的に進めてもよい。なお、上述の３段式スイッチ２４ａは、第１段目を第２の照明光の照射、第２段目を第１の照明光の照射としてもよい。
また、３段式スイッチ２４を第１段目若しくは第２段目で所定時間停止させた場合、又は、第１段目、第２段目、及び第３段目のいずれにも該当しない箇所で所定時間停止させた場合、第１の照明光と第２の照明光とが所定間隔で交互に照射されてもよい。
【００４５】
以上が、図１に示す本発明の放射線撮影装置１０の一実施形態の構成である。上述の構成は一例であり、各構成は上述の例に限定されず他の種々の公知の技術を用いることができる。
【００４６】
＜放射線撮影装置の動作＞
次に、本発明の放射線撮影装置１０において放射線撮影を行う場合の動作について説明する。
【００４７】
操作者である技師は、被写体Ｐの撮影部位に応じて、所定のパネルサイズ（例えば、四切サイズ）のＩＰカセッテを放射線検出器（パネル）１６として、撮影台１４の所定位置（例えば、図２及び図３では、右端中央）に設置する。
そして、操作者は、設置したパネル１６のパネルサイズ（四切サイズ）と設置位置（右端中央）とを操作入力部２４により撮影制御部２２へ入力する。
【００４８】
撮影制御部２２は、操作入力部２４で入力されたパネル１６のパネルサイズ及び設置位置に基づいて、第１の光源部１８の第１の光源絞り１８ａを制御して、第１の光源１８ｂから第１の照明光を照射した際に、撮影台１４上に放射線検出器１６の設置範囲を照射するように開口部１８ｄの大きさを調整する。
また、第２の光源部２０では、同様に第２の光源絞り２０ａを制御して、第２の光源２０ｂからの第２の照明光及び放射線源１２からの放射線が撮影台１４上の所定範囲に照射されるよう、開口部２０ｄの大きさを調整する。
【００４９】
上述のとおり、操作入力部２４によりパネルサイズ及び設置位置を入力した後、操作者は、被写体Ｐを撮影台の前に立たせ、撮影の際の所定の姿勢を保持させる。
【００５０】
被写体Ｐを撮影台の前に立たせた後、操作者は、操作入力部２４のスイッチ２４ａを第１段まで押して、第１の光源１８ｂより第１の照明光を照射して、被写体Ｐの上から撮影台１４上のパネル１６のパネルサイズ及び設置位置を確認する。
【００５１】
次に、操作者は、スイッチ２４ａを第２段まで押して、更に、第２の光源２０ｂより第２の照明光を照射して、上述の撮影台上のパネル１６の設置範囲（第１の照明光の照射範囲）に重ね、被写体Ｐの上から放射線の曝射範囲（第２の照明光の照射範囲）を確認する。
ここで、第１の照明光の色と第２の照明光の色とが異なると、パネル１６の設置範囲と、放射線の曝射範囲（照射野）とを重ねて照射することで、一目で判断することができるため、第１の照明光の色と第２の照明光の色とは異なることが好ましい。
また、上述のとおり、第１の照明光と第２の照明光との照射強度が異なってもよい。例えば、第１の照明光の照射強度が第２の照明光の照射強度よりも低い場合には、色が異なる場合と同様、パネル１６の設置範囲と、放射線の曝射範囲とを一目で判断することができる。
また、上述のように、第１の照明光と第２の照明光とを交互に点滅（つまり、照射）させてもよい。上述と同様、パネル１６の設置範囲と、放射線の曝射範囲とを一目で判断することができる。
【００５２】
最後に、操作者は、パネル１６の設置範囲、放射線の曝射範囲を目視で確認し、スイッチ２４ａを第３段まで押して放射線を曝射する。
なお、放射線源１２の放射線強度及び曝射時間は、撮影部位及び曝射範囲に応じて予め操作入力部２４に入力されている。
【００５３】
なお、撮影制御部２２が警告手段を備える場合であって、放射線の照射がパネル設置位置から外れている場合には、撮影制御部２２の図示しない表示部にその旨の警告が表示され、また、放射線の曝射が停止され、スイッチ２４ａを第３段まで押しても、放射線が曝射されない。
【００５４】
放射線曝射後、撮影台１４より、ＩＰカセッテ１６を取り出し、専用の再生装置で再生することで、操作者は放射線画像を取得することができる。
以上が本発明の放射線撮影装置１０の動作である。
【００５５】
以上、本発明の放射線撮影装置について詳細に説明したが、本発明は、上記実施形態に限定されるものではなく、本発明の要旨を逸脱しない範囲において、各種の改良や変更を行ってもよい。
【符号の説明】
【００５６】
１０  放射線撮影装置
１２  放射線源
１３  線源移動機構
１４  撮影台
１６  放射線検出器（パネル）
１８  第１の光源部
１８ａ  第１の光源絞り
１８ａＡ、１８ａＢ、２０ａＡ、２０ａＢ  １組の光源絞りリーフ
１８ｂ  第１の光源
１８ｃ  第１のハーフミラー
１８ｄ、２０ｄ  開口部
２０  第２の光源部
２０ａ  第２の光源絞り
２０ｂ  第２の光源
２０ｃ  第２のハーフミラー
２２  撮影制御部
２４  操作入力部
２４ａ  ３段スイッチ
【図１】
0005694869.tif 000002
【図２】
0005694869.tif 000003
【図３】
0005694869.tif 000004
【図４】
0005694869.tif 000005
【図５】
0005694869.tif 000006
【図６】
0005694869.tif 000007